(57)【要約】【課題】購買者が要求するサイズ情報及び製造メーカ側の企画情報等を購買者に提示できること。【解決手段】マットレス１２，２２の上面にベッド標準体型表示１、ベッドラージ体型表示２を置くことによって、購買者がベッド１０，２０のサイズ、マットレス１２，２２のサイズを一目瞭然に判断でき、また、子供を添い寝させたときのレイアウトから、ベッドラージ体型表示２の人でも、マットレス１２，２２の余裕を判断することができる。製造メーカ側の企画としてシングルベッドを連ねて使用できる場合、セミダブルベッドとシングルベッドを連ねて使用できる場合を展示し、そこに、ベッド標準体型表示１とベッドラージ体型表示２との１以上をおけば、添い寝する子供の位置情報が確認できる。よって、購買者が要求するサイズ情報及び製造メーカ側の企画情報を購買者に提示できる。【選択図】図１
2007236756.tif 000002
【特許請求の範囲】
【請求項１】
標準体型の人の正面等身大形状を平面化表現したベッド標準体型表示及び前記標準体型を用いて間接的に太った体型を平面化表現したベッドラージ体型表示の何れか一方を、人が上に載っても破損しない材料で形成され、かつ、ベッドフレーム上のマットレス上面に載置された基体に体現してなることを特徴とするベッド情報模型。
【請求項２】
前記標準体型を用いて間接的に太った体型を表現してなるベッドラージ体型表示は、大人が子供と添い寝している形態としたことを特徴とする請求項１に記載のベッド情報模型。
【請求項３】
前記ベッド標準体型表示及び／またはベッドラージ体型表示の図形の一部を透明とし、マットレスの表面を確認する窓としたことを特徴とする請求項１または請求項２に記載のベッド情報模型。
【発明の詳細な説明】
【技術分野】
【０００１】
本発明は、ベッドに取り付けられているマットレスのサイズ等を容易に知ることができるようにしたベッド情報模型を提供することにある。
【背景技術】
【０００２】
従来のベッドサイズ情報の表示方法として特許文献１の発明がある。特許文献１の発明は、マットレスの一端部に、このマットレスに係る情報が表示された情報表示体を取り外し可能に設けたものである。
【０００３】
したがって、特許文献１の発明によれば、マットレスに係る情報が表示された情報表示体を取り外し可能に設けているから、購入希望者は情報表示体によってマットレスの性能等に関する情報を得ることができる。しかも、情報表示体を取り外して他のマットレス装置に使用することもできる。
【特許文献１】特開平２００５−３４２２３０
【発明の開示】
【発明が解決しようとする課題】
【０００４】
上記特許文献１のマットレスに係る情報が表示された情報表示体の取り付けは、マットレスのサイズ、材質、弾性質等の記載をなしている。しかし、サイズ、材質、弾性等は、消費者がベッド選びを行なう際に、タグ表示の存在を確認し、それらの情報は自然にタグ情報から理解される事項である。
ところが、製造販売業者のベッドに対する企画意図は、サイズ、材質、弾性等の情報では伝わらない。また、購買者はベッドに取り付けられているマットレスの上に寝転がり、自分の身体によって、そのサイズの大小及び弾性を確認している現状がある。即ち、上記特許文献１のマットレスに係る情報が表示された情報表示体では、購買者が要求する情報を提供していない。
【０００５】
そこで、この発明はかかる不具合を解決するためになされたもので、購買者が要求するサイズ情報及び製造メーカ側の企画情報等を購買者に提示できるベッド情報模型の提供を課題とするものである。
【課題を解決するための手段】
【０００６】
請求項１にかかるベッド情報模型は、標準体型の人の正面等身大形状を平面化表現したベッド標準体型表示及び前記標準体型を用いて間接的に太った体型を平面化表現したベッドラージ体型表示の何れか一方を、人が上に載っても破損しない材料で形成され、かつ、ベッドフレーム上のマットレス上面に載置された基体に体現してなるものである。
ここで、人が上に乗っても破損しない材料とは、ベッド情報模型として使用できないように破損しないことを特定するものであり、強靭なもの、適当な弾性を持つもの、布生地のように柔軟性に富むものとすることができる。
また、人を正面から見た体型の等身大とは、横たわった状態を基準とするものであるから、ベッド標準体型表示またはそれよりも若干大きい程度に設定された身長を有し、ウエストも同一または若干幅の広いサイズが使用され、正確に標準体型の寸法を定義するものではない。
そして、前記標準体型を用いて間接的に太った体型を表現してなるベッドラージ体型表示とは、体形を直接表示すると個人差があるので、子供、縫いぐるみを抱かせることによって見かけ上の横幅を広くすることができ、それをもって、ウエストが何センチ程度の平面であるかが特定できる。また、前者のベッド標準体型表示と後者の間接的に太った体型を表現するベッドラージ体型表示の標準体型とは、男子の標準体型または女子の標準体型の何れであってもよいし、その年齢差があってもよい。
【０００７】
請求項２にかかるベッド情報模型の前記標準体型を用いて間接的に太った体型を表現してなるベッドラージ体型表示は、大人が子供と添い寝している形態としたものでは、子供の年齢及び寝相によってウエスト周りのサイズを任意に設定することができる。
【０００８】
請求項３にかかるベッド情報模型の前記ベッド標準体型表示及び／またはベッドラージ体型表示の図形の一部は透明とするものである。ここで、透明とは、基体を透明シートとすることもできるし、貫通した窓とすることもできる。
【発明の効果】
【０００９】
請求項１にかかるベッド情報模型は、標準体型の人の正面等身大形状を平面化表現したベッド標準体型表示及び前記標準体型を用いて間接的に太った体型を平面化表現したベッドラージ体型表示の何れか一方を、人が上に載っても破損しない材料で形成され、かつ、ベッドフレーム上のマットレス上面に載置された基体に体現したもので、人が上に乗っても破損しない材料に、人を正面から見た標準体型の等身大で、それを平面化して描いてなるベッド標準体型表示と、前記標準体型を用いて間接的に太った体型を表現してなるベッドラージ体型表示との何れかを、ベッドに取り付けられたマットレスの上面に載置したものである。
したがって、マットレスの上面にベッド情報模型を置いておくことによって、購買者がベッドのサイズ、マットレスのサイズを一目瞭然に判断でき、しかも、子供を添い寝させたときのレイアウトから、ベッドラージ体型表示の人でも、マットレスの余裕を判断することができる。また、製造メーカ側の企画としてシングルベッドを連ねて使用できる場合、ダブルベッドとシングルベッドを連ねて使用できる場合、その状態を展示し、そこに、ベッド標準体型表示とベッドラージ体型表示との１以上をベッドに取り付けられたマットレスの上面に置いておけば、その企画趣旨としては、子供を添い寝するときの子供の位置、子供の小さいとき、子供が大きくなったときにも使用できることが判る。
よって、購買者が要求するサイズ情報及び製造メーカ側の企画情報を購買者に提示できる。
【００１０】
請求項２にかかるベッド情報模型は、前記標準体型を用いて間接的に太った体型を表現してなるベッドラージ体型表示は、大人が子供と添い寝している形態としたものであるから、請求項１に記載の効果に加えて、自然な寝姿で、ベッドの幅を検討することができる。また、展示の形態においても、ほのぼのとした家庭的イメージが表象されるだけで、ベッドラージ体型表示を認識させないで、ベッドの好みのサイズを選択することができる。
【００１１】
請求項３にかかるベッド情報模型は、前記ベッド標準体型表示及び／またはベッドラージ体型表示の図形の一部を透明とし、マットレスの表面を確認する窓としたものであるから、請求項１または請求項２に記載の効果に加えて、前記ベッド標準体型表示及び／またはベッドラージ体型表示を移動させることなく、マットレスの表面の柄等を確認することができる。
【発明を実施するための最良の形態】
【００１２】
以下、本発明の実施の形態について、図面に基づいて説明する。
図１は本発明の実施の形態１におけるベッド情報模型の使用状態を示す全体の斜視図、図２は本発明の実施の形態１におけるベッド情報模型の全体構成図、図３は本発明の実施の形態１におけるベッド情報模型のマットレスの要部拡大断面図である。図４は本発明の実施の形態１におけるベッド情報模型の使用例を説明するもので、（ａ）は使用していない例、（ｂ）は使用している例の説明図である。
【００１３】
図１乃至図３において、ベッド１０はシングルサイズで、支持体１１の上にマットレス１２が配設されている。また、ベッド１０には公知のようにヘッドボード１３が配設されている。
同様に、ベッド２０はセミダブルサイズで、支持体２１の上にマットレス２２が配設されている。また、ベッド２０には公知のヘッドボード２３が配設されている。マットレス１２，２２は、スプリング体１２ａの両側にクッション材１２ｂを固定し、その外周を外装体１２ｃにより被覆された構造となっている。
なお、図１に図示したベッド１０とベッド２０は、独立構造のものを２台近接させたものである。
【００１４】
図２に示すように、ベッド情報模型のベッド標準体型表示１は、男子または女子の成人の標準体型（図示は男子）の身長を横になって増加する伸張分の補正及び立体を平面で表現する場合の立体補正を行った身長Ｈ1を有している。そのベッド標準体型表示１は、男子または女子の成人の標準体型（図示は男子）のウエストを横になって増加する伸張分の補正及び立体を平面で表現する場合の立体補正を行ったウエストサイズＷ1を有している。これらの横になって増加する伸張分の補正及び立体を平面で表現する場合の立体補正の値は、経験則に照らして算出している。したがって、ベッド標準体型表示１は、男子または女子の成人の標準体型の身長及びウエストサイズの正面測定値よりも若干値が大きくなっている。
ベッド標準体型表示１の足の下方向にある表示欄１Ａは、ベッド標準体型表示１の算出根拠となった体型を記載したり、製造メーカ名を記載したりする欄であり、本発明を実施する場合には、必ずしも必要とするものではない。しかし、ベッド標準体型表示１の足の下方向に形成しなければ、ベッド標準体型表示１の図形中に記載することになる。
【００１５】
また、図２に示すように、ベッド情報模型装置のベッドラージ体型表示２は、男子または女子の成人の標準体型（図示は女子）の身長を横になって増加する伸張分の補正及び立体を平面で表現する場合の立体補正を行った身長Ｈ2を有している。そのウエストサイズＷ2は、男子または女子（図示は女子）の成人の標準体型のウエストを横になって増加する伸張分の補正及び立体を平面で表現する場合の立体補正を行ったウエストサイズと、そこに子供を添い寝させた場合の両者の和の幅として表出し、それをもってウエストサイズＷ2としている。したがって、こどもは、何歳児という観点から決定されるものではなく、肥満体型のウエストを算出するために使用されるものである。ここにおいても、これらの横になって増加する伸張分の補正及び立体を平面で表現する場合の立体補正の値は、経験則に照らして算出している。よって、ベッドラージ体型表示２は、男子または女子の成人の肥満体型の身長及びウエストサイズの正面測定値よりも若干値が大きくなっている。
【００１６】
ベッド標準体型表示１と同様、ベッドラージ体型表示２の足の下にある表示欄２Ａは、ベッドラージ体型表示２の算出根拠となった体型を記載したり、製造メーカ名を記載したりする欄であり、本発明を実施する場合には、必ずしも必要とするものではない。
これらベッド標準体型表示１、ベッドラージ体型表示２は、可撓性に富む透明シートを基板とし、その基板にカラーまたはモノクロ印刷を行って描いたものである。このベッド標準体型表示１、ベッドラージ体型表示２は、そのシルエットラインに沿って形成してもよいし、透明体を基板に使用すれば、長方形とすることができるし、マットレス１２，２２の上面の形状とすることができる。特に、特に基体の透明シートをマットレス１２，２２の上面の形状としたものでは、マットレス１２，２２のカバーとしても使用できる。
【００１７】
ベッド標準体型表示１を男子の標準体型から、ベッドラージ体型表示２を女子の標準体型から算出して形成した場合には、ベッドラージ体型表示２を女子用のベッド標準体型表示１として使用できるように、添い寝する子供を無視して見ることができるようになっている。
また、ベッドラージ体型表示２は標準体型を用いて間接的に太った体型を表現しているものであるから、ベッドラージ体型表示２をみても、購買者は大人が子供と添い寝している形態と認識し、違和感がない。
なお、マットレス１２（２２）の上面に載置されたベッド標準体型表示１、ベッドラージ体型表示２の下面には、移動止めとして粘着性の弱い接着シート１ａ（２ａ）が接合されており、マットレス１２またはマットレス２２の上面に載置されたベッド標準体型表示１、ベッドラージ体型表示２は、相対移動し難くなっている。
【００１８】
次に、本発明の実施の形態１におけるベッド情報模型の使用方法について、図４を用いて説明する。
図４（ａ）のベッド１０及びベッド２０は、支持体１１及びマットレス１２、支持体２１及びマットレス２２の基本的構造は、図１に示すベッド１０及びベッド２０と相違するものではない。
【００１９】
特に、図１のベッド１０及びベッド２０と図４のベッド１０及びベッド２０と相違する箇所は、図１の各１枚づつのヘッドボード１３及びヘッドボード２３が、図４のベッド１０及びベッド２０では１枚板となったヘッドボード３０を使用している。このため、ベッド１０及びベッド２０が互いに離れないように、互いの支持体１１と支持体２１とを機械的に一体に固着している。
したがって、ベッド１０とベッド２０が単に隣接しているものではなく、互いに離れないように堅固に支持体１１と支持体２１とを接続し、ヘッドボード３０のみにベッド１０とベッド２０の機械的な力が加わらないようになっている。即ち、図４のベッド１０及びベッド２０は、２台を１台としてまとめたペアベッドの構成となっている。
【００２０】
ここで図４（ｂ）は、図４（ａ）のベッド１０に対してベッド標準体型表示１、ベッド２０に対してベッドラージ体型表示２を載置したものである。
図４（ａ）のベッド１０及びベッド２０には、ベッド標準体型表示１及びベッドラージ体型表示２から家族が寝ている情景を表象させる。それによって、ベッド１０とベッド２０が独立構造であっても、「分離できない構造になっているのでは」との思いが生じ、ヘッドボード３０をみると、分離されておらず、両者が一体であり、ペアベッドの構成であることが確認される。
【００２１】
このように、図４（ｂ）の展示状態では、購買者自身が、店員のアドバイスを求めることなく、ベッド１０に対してベッド標準体型表示１、ベッド２０に対してベッドラージ体型表示２が載置されている状態で、ベッド１０及びベッド２０の製造側の企画意図が理解される。
また、購買者自身が、ベッド標準体型表示１の表示欄１Ａ、ベッドラージ体型表示２の表示欄２Ａを確認することによって、肥えたときの体型を考慮してベッド１０とベッド２０とを比較選択することができる。
【００２２】
勿論、このベッド１０とベッド２０の１対のベッドの企画意図を、直接、両親と幼少の子供が一緒に寝るとき、通常のシングルサイズのマットレス１２を１対として使用すると両親の間に子供が添い寝するとき、子供が丁度１対のマットレス１２の繋ぎ目に寝ることになるというも、ビジュアル的に理解でき、マットレス１２を父親、マットレス２２を母親と幼児が寝るということを前提とすると解消されることが理解できる。このようなことは、この企画意図を販売店の店頭で購買者に伝えなくとも、購買者がベッド標準体型表示１とベッドラージ体型表示２をみて直感的に理解される。
【００２３】
上記実施の形態では、ベッド１０のマットレス１２とベッド２０のマットレス２２に、ベッド標準体型表示１とベッドラージ体型表示２を接着シート１ａまたは接着シート２ａで取り付ける場合について説明したが、本発明を実施する場合には、ベッド１０のマットレス１２またはベッド２０のマットレス２２にベッド標準体型表示１またはベッドラージ体型表示２が載置できればよく、基体をビニールシート等の質量の重い材料を使用する場合には、接着シート１ａ、接着シート２ａを用いることなく使用できる。
【００２４】
上記実施の形態のベッド情報模型は、人が上に乗っても破損しない材料を基体とし、そこに、人を正面から見た体型の略等身大で、それを平面化して描いてなるベッド標準体型表示１と、ベッド標準体型表示１を用いて間接的に太った体型を表現してなるベッドラージ体型表示２とを、ベッド１０、ベッド２０に取り付けられたマットレス１２，２２の上面に載置したものである。
したがって、マットレス１２，２２の上面にベッド情報模型を置くことによって、購買者がベッド１０，２０のサイズ、マットレス１２，２２のサイズを一目瞭然に判断でき、しかも、親子が川の字で子供を添い寝させたときのレイアウトを判断することができる。そして、ベッドラージ体型表示２の人も、マットレス１２，２２の余裕を判断することができる。また、製造メーカ側の企画としてシングルベッドを連ねて使用できる場合、ダブルベッドとシングルベッドを連ねて使用できる場合、その組み立て状態を展示し、そこに、ベッド標準体型表示１とベッドラージ体型表示２を、ベッド１０、ベッド２０に取り付けられたマットレス１２，２２の上面に取り外し自在に取り付けておけば、その企画趣旨としては、子供の小さいとき、子供が大きくなったときにも使用できることが判る。よって、購買者が要求するサイズ情報及び製造メーカ側の企画情報を購買者に提示できる。
【００２５】
ここで、上記実施の形態の人が上に乗っても破損しない基体の材料とは、ベッド情報模型として使用できないように破損しないものであれば、強靭なもの、適当な弾性を持つもの、布生地のように柔軟性に富むものとすることができる。しかし、通常、透明な合成樹脂シートが好適である。
【００２６】
また、人を正面から見た標準体型の略等身大とは、結果的に使用においては、横たわった状態を基準とするものであるから、標準体型よりも若干大きい程度に設定された身長を有し、ウエストも同一または若干幅の広いサイズが使用される。そして、標準体型を用いて間接的に太った体型を表現してなるベッドラージ体型表示２とは、標準体形を直接表示すると個人差があるので、子供または縫いぐるみを抱かせること、添い寝させることによって見かけ上の横幅を広くし、それをもって、ウエストが何センチ程度の平面であるかを特定するものである。また、前者のベッド標準体型表示１と後者の間接的に太った体型を表現するベッドラージ体型表示２のベッド標準体型表示１とは、男女の違いがあってもよいし、その年齢差があってもよい。
【００２７】
更に、上記実施の形態のベッド情報模型の標準体型を用いて間接的に太った体型を表現してなるベッドラージ体型表示２は、大人が子供と添い寝している形態としたものでは、子供の年齢によってウエスト周りのサイズを任意に設定することができ、マットレス１２またはマットレス２２の上に置いてあっても、それによって何ら抵抗感が生ずるものではない。
【００２８】
更にまた、上記実施の形態のベッド情報模型は、ベッド標準体型表示１の表示欄１Ａ、ベッドラージ体型表示２の表示欄２Ａを具備するものであるが、表示欄１Ａ、表示欄２Ａを取り除いたものを立像とし、顧客がそれに並ぶことによって、自分の身長との違いを自身で確認する指標として使用することもできる。
【００２９】
加えて、上記実施の形態のベッド情報模型は、ベッド標準体型表示１、ベッドラージ体型表示２の一部を透明とし、マットレス１２またはマットレス２２の表面を確認する窓とすることもできる。
【図面の簡単な説明】
【００３０】
【図１】図１は本発明の実施の形態１におけるベッド情報模型の使用状態を示す全体の斜視図である。
【図２】図２は本発明の実施の形態１におけるベッド情報模型の全体構成図である。
【図３】図３は本発明の実施の形態１におけるベッド情報模型のマットレスの要部拡大断面図である。
【図４】図４は本発明の実施の形態１におけるベッド情報模型の使用例を説明する説明図である。
【符号の説明】
【００３１】
１０，２０    ベッド
１２，２２    マットレス
１３，２３，３０    ヘッドボード
１          ベッド標準体型表示
２          ベッドラージ体型表示
１Ａ，２Ａ    表示欄
【図１】
2007236756.tif 000003
【図２】
2007236756.tif 000004
【図３】
2007236756.tif 000005
【図４】
2007236756.tif 000006